(57)【要約】【課題】効率的に利得制御を行うことができるように改良された通信装置を提供する。【解決手段】通信チャネルの時間を、送信区間と、受信区間とに分割する時分割スイッング手段と、送信区間において、入力された前記伝送信号を増幅して送信する送信手段と、送信された伝送信号に対して、第１の値だけ減衰が与えられた第１の信号を増幅し、第２の信号とする増幅手段と、第２の信号の電力を調整して第３の信号とする調整手段と、入力された伝送信号の電力を測定し、第１の測定結果を得る第１の測定手段と、第３の信号の電力を測定し、第２の測定結果を得る第２の測定手段と、第１の測定結果と、第２の測定結果とに基づいて、調整手段の調整量を求め、第２の測定結果が予め決められた値になるように調整手段を制御する制御手段とを有し、増幅手段は、受信区間において受信された信号を増幅し、調整手段は、この増幅された信号の電力を調整する。【選択図】図３
2010171771.tif 000002
【特許請求の範囲】
【請求項１】
伝送信号の送信および受信に共通に用いられる通信チャネルの時間を、伝送信号の送信のための送信区間と、伝送信号の受信のための受信区間とに分割する時分割スイッング手段と、
前記送信区間において、入力された前記伝送信号を、予め決められた電力に増幅して、前記通信チャネルで送信する送信手段と、
前記送信された伝送信号に対して、予め決められた第１の値だけ減衰が与えられた第１の信号を増幅し、第２の信号とする増幅手段と、
前記第２の信号の電力を調整して第３の信号とする調整手段と、
前記入力された伝送信号の電力を測定し、第１の測定結果を得る第１の測定手段と、
前記第３の信号の電力を測定し、第２の測定結果を得る第２の測定手段と、
前記第１の測定結果と、前記第２の測定結果とに基づいて、前記調整手段の調整量を求め、前記第２の測定結果が、予め決められた値になるように前記調整手段を制御する制御手段と
を有し、
前記増幅手段は、前記受信区間において受信された信号を増幅し、前記調整手段は、前記受信区間において前記増幅手段によって増幅された信号の電力を調整する
通信装置。
【発明の詳細な説明】
【技術分野】
【０００１】
本発明は、利得制御を行う通信装置に関する。
【背景技術】
【０００２】
例えば、特許文献１は、信号レベルを一定に保持する送受信装置を開示する。
【先行技術文献】
【特許文献】
【０００３】
【特許文献１】特開２００８−１２４８４１
【発明の概要】
【発明が解決しようとする課題】
【０００４】
本発明は、上述した背景からなされたものであって、効率的に利得制御を行うことができるように改良された通信装置を提供することを目的とする。
【課題を解決するための手段】
【０００５】
上記目的のために、本発明に係る通信装置は、伝送信号の送信および受信に共通に用いられる通信チャネルの時間を、伝送信号の送信のための送信区間と、伝送信号の受信のための受信区間とに分割する時分割スイッング手段（１５０）と、前記送信区間において、入力された前記伝送信号を、予め決められた電力に増幅して、前記通信チャネルで送信する送信手段（１２８）と、前記送信された伝送信号に対して、予め決められた第１の値だけ減衰が与えられた第１の信号を増幅し、第２の信号とする増幅手段（１６２）と、前記第２の信号の電力を調整して第３の信号とする調整手段（２０２）と、前記入力された伝送信号の電力を測定し、第１の測定結果を得る第１の測定手段（１２２）と、前記第３の信号の電力を測定し、第２の測定結果を得る第２の測定手段（２０６）と、前記第１の測定結果と、前記第２の測定結果とに基づいて、前記調整手段の調整量を求め、前記第２の測定結果が、予め決められた値になるように前記調整手段を制御する制御手段（２０８）とを有し、前記増幅手段は、前記受信区間において受信された信号を増幅し、前記調整手段は、前記受信区間において前記増幅手段によって増幅された信号の電力を調整する。
【発明の効果】
【０００６】
本発明にかかる通信装置によれば、効率的に利得制御を行うことができる。
【図面の簡単な説明】
【０００７】
【図１】本発明に係る第１の無線通信装置の構成を示す図である。
【図２】送信利得制御部が、送信レベル調整部のレベル調整量の校正を行う処理（Ｓ１０）を示すフローチャートである。
【図３】本発明に係る第２の無線通信装置の構成を示す図である。
【図４】受信利得制御部が、受信レベル調整部のレベル調整量の校正を行う処理（Ｓ２０）を示すフローチャートである。
【図５】第２の無線通信装置が、送信信号および受信信号のレベル調整を行う動作を示す図であって、（Ａ）は、送信信号のレベル調整を行う動作を示し、（Ｂ）は、受信信号のレベル調整を行う動作を示す。
【図６】本発明に係る第３の無線通信装置の構成を示す図である。
【発明を実施するための形態】
【０００８】
［ＴＤＤ方式］
まず、ＴＤＤ（Time Division Duplex）方式を説明する。
ＴＤＤ方式とは、無線通信などで同時送受信を実現する方式の一つで、通信経路を時間軸で区分し、送信と受信とを切り替える手法である。
つまり、伝送信号の送信および受信に共通に用いられる通信チャネルの時間を、伝送信号の送信のための送信区間と、伝送信号の受信のための受信区間とに分割して伝送信号の送受信を行う手法である。
以下に説明する本発明に係る無線通信装置は、ＴＤＤ方式により信号の送受信を行うように構成されている。
【０００９】
［第１の無線通信装置１］
以下、本発明に係る第１の無線通信装置１を説明する。
図１は、本発明に係る第１の無線通信装置１の構成を示す図である。
図１に示すように、第１の無線通信装置１は、変復調器１０および無線機１２から構成される。
変復調器１０は、ＤＳＰ（Degital Signal Processor；図示せず）などにより実行されるベースバンド信号処理部１００を含む。
【００１０】
無線機１２は、送信帯域フィルタ１２０、第１電力検出部１２２、デジタル直交変調部１２４、デジタル／アナログ変換器（Ｄ／Ａ）１２６、無線送信部１２８、フィルタ１３６、第２電力検出部１３８、パラメータ保持部１４０、送信利得制御部１４２、アンテナ１４４、ＴＤＤスイッチ１５０、無線受信部１６０、制御用テーブル部１６８、アナログ／デジタル変換器（Ａ／Ｄ）変換器１７０、デジタル直交検波部１７２および受信帯域制限フィルタ１７４から構成されている。
無線送信部１２８は、無線周波数変換部１３０、送信レベル調整部１３２および増幅器１３４から構成されている。
無線受信部１６０は、低雑音増幅器１６２、Ｉ／Ｆ（Intermediate Frequency）周波数変換部１６４および受信レベル調整部１６６から構成されている。
なお、送信帯域フィルタ１２０、第１電力検出部１２２、デジタル直交変調部１２４、送信利得制御部１４２、デジタル直交検波部１７２および受信帯域制限フィルタ１７４は、ＤＳＰ（図示せず）などにより実行されるように構成されている。
また、パラメータ保持部１４０および制御用テーブル部１６８は、無線機１２のメモリ（図示せず）などに格納されている。
【００１１】
ベースバンド信号処理部１００は、ホストコンピュータ（図示せず）などから入力されたデジタル形式のベースバンド送信信号を、所定の変調方式で変調し、送信帯域フィルタ１２０および第１電力検出部１２２に対して出力する。
また、ベースバンド信号処理部１００は、受信帯域制限フィルタ１７４から入力された受信信号を、復調し、ホストコンピュータなどに出力する。
また、ベースバンド信号処理部１００は、信号の送信／受信タイミングを示す信号を送信利得制御部１４２およびＴＤＤスイッチ１５０に対して通知する。
送信帯域フィルタ１２０は、ベースバンド信号処理部１００から入力された送信信号の帯域制限を行い、デジタル直交変調部１２４に対して出力する。
第１電力検出部１２２は、ベースバンド信号処理部１００から入力された送信信号の送信区間における電力値を算出し、送信利得制御部１４２に対して出力する（Ｔｘ入力値）。
【００１２】
デジタル直交変調部１２４は、送信帯域フィルタ１２０から入力された送信信号を、デジタル直交変調し、Ｄ／Ａ変換器１２６に対して出力する。
Ｄ／Ａ変換器１２６は、デジタル形式の送信信号を、アナログ形式の送信信号に変換して、無線送信部１２８の無線周波数変換部１３０に対して出力する。
無線周波数変換部１３０は、Ｄ／Ａ変換器１２６から入力された送信信号を、伝送のために適した周波数（無線周波数）の送信信号に変換し、送信レベル調整部１３２に対して出力する。
【００１３】
送信レベル調整部１３２は、無線周波数変換部１３０から入力された送信信号の信号レベルを、送信利得制御部１４２から入力されたレベル調整量で調整（増幅）し、増幅器１３４に対して出力する。
増幅器１３４は、送信レベル調整部１３２から入力された送信信号を、所定の出力レベルに増幅して、ＴＤＤスイッチ１５０を介して、フィルタ１３６に対して出力する。
また、増幅器１３４は、上記増幅した信号を、第２電力検出部１３８に対しても出力する。
【００１４】
フィルタ１３６は、増幅器１３４から入力された送信信号の帯域制限を行い、アンテナ１４４を介して、送信する。
また、フィルタ１３６は、アンテナ１４４を介して入力された受信信号の帯域制限を行い、ＴＤＤスイッチ１５０を介して、無線受信部１６０の低雑音増幅器１６２に対して出力する。
第２電力検出部１３８は、送信区間において、増幅器１３４から入力されたアナログ形式の信号を、デジタル形式の信号に変換し、変換した信号の電力を検出する（Ｔｘ出力値）。
また、第２電力検出部１３８は、検出した信号の電力を、送信利得制御部１４２に対して出力する。
【００１５】
ＴＤＤスイッチ１５０は、ベースバンド信号処理部１００から入力された信号の送信／受信タイミングを示す信号に基づいて、スイッチの切り替えを行う。
つまり、ＴＤＤスイッチ１５０は、ベースバンド信号処理部１００から入力された信号の送信タイミングに応じて、スイッチを「ａ」側に切り替え（送信区間）、信号の受信タイミングに応じて、スイッチを「ｂ」側に切り替える（受信区間）。
以下、ＴＤＤスイッチ１５０が送信状態のとき（「ａ」と無線送信部１２８とが接続されているとき）に、無線受信部１６０に入力される信号を説明する。
【００１６】
ＴＤＤスイッチ１５０が送信状態のときであっても、「接点ａ」と「接点ｂ」との間は、浮遊容量等により結合され、減衰された送信信号が、「ｃ」に示すように、無線受信部１６０に入力される。
なお、上記減衰量は、部品特性に応じて、予め（例えば、−１００ｄＢなどと）求められている。
【００１７】
パラメータ保持部１４０は、無線送信部１２８における予定増幅量（Ｇａｉｎ値）を保持する。
上記予定Ｇａｉｎ値は、予め決定されている。
また、パラメータ保持部１４０は、上記予定Ｇａｉｎ値に対する所定の許容値（Ｔｘ許容値）を保持する。
【００１８】
送信利得制御部１４２は、ベースバンド信号処理部１００から入力された信号の送信タイミングを示す信号に基づいて、信号の送信区間において、送信レベル調整部１３２のレベル調整量を校正する。
具体的には、送信利得制御部１４２は、第１電力検出部１２２から入力された電力値と、第２電力検出部１３８から入力された電力値と、パラメータ保持部１４０が保持する予定Ｇａｉｎ値およびＴｘ許容値とを用いて、無線送信部１２８における実際のＧａｉｎ値が、予定Ｇａｉｎ値に近づくように、送信レベル調整部１３２のレベル調整量を校正する。
また、送信利得制御部１４２は、校正したレベル調整量を、送信レベル調整部１３２に対して出力する。
以下、送信利得制御部１４２が、送信レベル調整部１３２のレベル調整量の校正を行う処理を、図２を参照して、さらに説明する。
【００１９】
図２は、送信利得制御部１４２が、送信レベル調整部１３２のレベル調整量の校正を行う処理（Ｓ１０）を示すフローチャートである。
図２に示すように、ステップ１００（Ｓ１００）において、送信利得制御部１４２は、ベースバンド信号処理部１００から、送信タイミングを示す信号を受け入れる。
ステップ１０２（Ｓ１０２）において、送信利得制御部１４２は、ベースバンド信号処理部１００から入力される送信タイミングを示す信号に基づいて、送信区間におけるＴｘ入力値（第１電力検出部１２２の検出値）およびＴｘ出力値（第２電力検出部１３８の検出値）を算出する。
ステップ１０４（Ｓ１０４）において、送信利得制御部１４２は、送信区間において「Ｔｘ出力値―Ｔｘ入力値（実際のＧａｉｎ値）」を算出する。
ステップ１０６（Ｓ１０６）において、送信利得制御部１４２は、「Ｔｘ出力値―Ｔｘ入力値（実際のＧａｉｎ値）が、予定Ｇａｉｎ値よりどれだけ低いか（δｔｘ）」を算出する。
例えば、予定Ｇａｉｎ値が５０ｄＢと設定されていた場合に、「Ｔｘ出力値―Ｔｘ入力値（実際のＧａｉｎ値）」が、４０ｄＢであったとすると、δｔｘ＝１０ｄＢと算出される。
【００２０】
ステップ１０８（Ｓ１０８）において、送信利得制御部１４２は、「上記算出したδｔｘ」のレベル調整量を、送信レベル調整部１３２に対して出力し、送信レベル調整部１３２は、入力されたレベル調整値で、レベル調整を行う。
なお、送信利得制御部１４２は、「上記算出したδｔｘ」のレベル調整量を分割して、複数回に分けて送信レベル調整部１３２に対して出力し、送信レベル調整部１３２は、段階的にレベル調整を行ってもよい。
ステップ１１０（Ｓ１１０）において、送信利得制御部１４２は、ベースバンド信号処理部１００から、送信タイミングを示す信号を受け入れる。
ステップ１１２（Ｓ１１２）において、送信利得制御部１４２は、ベースバンド信号処理部１００から入力される送信タイミングを示す信号に基づいて、送信区間におけるＴｘ出力値（第１電力検出部１２２の検出値）およびＴｘ入力値（第２電力検出部１３８の検出値）を算出する。
【００２１】
ステップ１１４（Ｓ１１４）において、送信利得制御部１４２は、送信区間において「Ｔｘ出力値―Ｔｘ入力値（実際のＧａｉｎ値）」を算出する。
ステップ１１６（Ｓ１１６）において、送信利得制御部１４２は、「Ｔｘ出力値―Ｔｘ入力値（実際のＧａｉｎ値）が、予定Ｇａｉｎ値±Ｔｘ許容値の範囲内」であるか否かを判断する。
「Ｔｘ出力値―Ｔｘ入力値（実際のＧａｉｎ値）が、予定Ｇａｉｎ値±Ｔｘ許容値の範囲内」であるときには、送信利得制御部１４２は、Ｓ１２０の処理に進み、これ以外のときには、Ｓ１１８の処理に進む。
【００２２】
ステップ１１８（Ｓ１１８）において、送信利得制御部１４２は、「Ｔｘ出力値―Ｔｘ入力値（実際のＧａｉｎ値）が、予定Ｇａｉｎ値±Ｔｘ許容値の範囲内」となるように、δｔｘの値を変更する。
具体的には、「Ｔｘ出力値―Ｔｘ入力値（実際のＧａｉｎ値）」が、「予定Ｇａｉｎ値±Ｔｘ許容値の範囲内」より３ｄＢ低かった場合には、現在のδｔｘの値に３ｄＢ増加させた値などとするが、例えば段階的に増加させてもよい。
ステップ１２０（Ｓ１２０）において、送信利得制御部１４２は、δｔｘの値を保持し、レベル調整量「δｔｘ」の校正を完了する。
ステップ１２２（Ｓ１２２）において、送信利得制御部１４２は、「上記保持したδｔｘ」のレベル調整量を、送信レベル調整部１３２に対して出力する。
また、送信レベル調整部１３２は、入力されたレベル調整値で、その後のレベル調整（増幅）を行う。
【００２３】
つまり、送信利得制御部１４２は、信号の送信区間において、「Ｔｘ出力値―Ｔｘ入力値（実際のＧａｉｎ値）」が、「予定Ｇａｉｎ値±Ｔｘ許容値」の範囲内となるまで、「δｔｘ」を適宜変更して、レベル調整量「δｔｘ」を校正する。
また、送信利得制御部１４２は、「Ｔｘ出力値―Ｔｘ入力値（実際のＧａｉｎ値）」が、「予定Ｇａｉｎ値±Ｔｘ許容値」の範囲内となった時には、その「δｔｘ」を保持する。
つまり、以後、レベル調整量「δｔｘ」は、一定量となる。
【００２４】
低雑音増幅器１６２（図１）は、フィルタ１３６からＴＤＤスイッチ１５０を介して、入力された受信信号を増幅し、Ｉ／Ｆ周波数変換部１６４に対して出力する。
また、低雑音増幅器１６２は、ＴＤＤスイッチ１５０において減衰され、入力された送信信号を増幅し、Ｉ／Ｆ周波数変換部１６４に対して出力する。
Ｉ／Ｆ周波数変換部１６４は、低雑音増幅器１６２から入力された信号を、中間周波数帯に変換し、受信レベル調整部１６６に対して出力する。
制御用テーブル部１６８は、受信レベル調整部１６６がレベル調整を行う際のレベル調整量を保持する。
具体的には、制御用テーブル部１６８は、周波数および温度毎に決められているレベル調整量を、テーブルとして保持する。
【００２５】
受信レベル調整部１６６は、入力された信号の周波数および周囲の温度を取得する。
また、受信レベル調整部１６６は、制御用テーブル部１６８に格納されているテーブルを参照し、取得した周波数および温度に応じたレベル調整量を取得する。
また、受信レベル調整部１６６は、Ｉ／Ｆ周波数変換部１６４から入力された信号に対して、上記取得したレベル調整量で、信号のレベル調整を行い、Ａ／Ｄ変換器１７０に対して出力する。
【００２６】
Ａ／Ｄ変換器１７０は、受信レベル調整部１６６から入力されたデジタル形式の信号を、アナログ形式の信号に変換し、デジタル直交検波部１７２に対して出力する。
デジタル直交検波部１７２は、Ａ／Ｄ変換器１７０から入力された中間周波数帯の信号を、ベースバンド信号に変換し、受信帯域制限フィルタ１７４に対して出力する。
受信帯域制限フィルタ１７４は、デジタル直交検波部１７２から入力された信号の帯域制限を行い、ベースバンド信号処理部１００に対して出力する。
【００２７】
上述したように、第１の無線通信装置１において、受信レベル調整部１６６は、入力された信号の周波数および周囲の温度を取得する。
また、受信レベル調整部１６６は、制御用テーブル部１６８に格納されているテーブルを参照し、取得した周波数および温度に応じたレベル調整量を取得する。
しかしながら、上記制御用テーブル部１６８が保持するテーブルのデータ量は大きいという課題がある。
また、レベル補正を正確に行うためには、上記制御用テーブル部１６８において、周波数および温度毎に決められているレベル調整量の精度を上げる必要がある。
しかも、上記制御用テーブル部１６８を作成するためには、第１の無線通信装置１の受信系に既知の信号を生成する信号発生器を接続し、予め試験を行わなければならなかった。
以下に説明する本発明にかかる第２の無線通信装置２および第３の無線通信装置３は、上述した課題を解決するようになされている。
【００２８】
［第２の無線通信装置２］
以下、本発明に係る第２の無線通信装置２を説明する。
図３は、本発明に係る第２の無線通信装置２の構成を示す図である。
図３に示すように、第２の無線通信装置２は、第１の無線通信装置１において、ベースバンド信号処理部１００、送信利得制御部１４２、パラメータ保持部１４０、無線受信部１６０および受信帯域制限フィルタ１７４をそれぞれ、ベースバンド信号処理部２４０、送信利得制御部２２０、パラメータ保持部２１０、無線受信部２００および受信帯域制限フィルタ２０４に置き換え、制御用テーブル部１６８を取り、第３電力検出部２０６および受信利得制御部２０８を加えた構成を採る。
無線受信部２００は、無線受信部１６０において、受信レベル調整部１６６を受信レベル調整部２０２に置き換えた構成を採る。
なお、ベースバンド信号処理部２４０、送信利得制御部２２０、受信帯域制限フィルタ２０４、第３電力検出部２０６および受信利得制御部２０８は、ＤＳＰ（図示せず）などにより実行されるように構成される。
また、パラメータ保持部２１０は、メモリ（図示せず）などに格納されている。
【００２９】
ベースバンド信号処理部２４０は、ベースバンド信号処理部１００の処理に加え、送信／受信タイミングを示す信号を、受信利得制御部２０８に対して出力する。
送信利得制御部２２０は、送信利得制御部１４２の処理に加え、第１電力検出部１２２から入力された電力値を、受信利得制御部２０８に対して出力する。
また、送信利得制御部２２０は、送信レベル調整部１３２のレベル調整量の校正が完了したときには、校正完了通知を、受信利得制御部２０８に対して出力する。
無線受信部２００の受信レベル調整部２０２は、Ｉ／Ｆ周波数変換部１６４から入力された信号レベルを、受信利得制御部２０８から入力されたレベル調整量で調整し、Ａ／Ｄ変換器１７０に対して出力する。
なお、受信レベル調整部２０２は、例えば、アッテネータや増幅器によって構成される。
受信帯域制限フィルタ２０４は、受信レベル調整部１６６の処理に加え、帯域制限を行った信号を、第３電力検出部２０６に対しても出力する。
第３電力検出部２０６は、受信帯域制限フィルタ２０４から入力された信号の電力を検出し、受信利得制御部２０８に対して出力する（Ｒｘ出力値）。
【００３０】
パラメータ保持部２１０は、パラメータ保持部１４０が保持する値を保持する。
パラメータ保持部２１０は、さらに、送信帯域フィルタ１２０への入力信号電力と、受信帯域制限フィルタ２０４の出力信号電力とを比較して得られるべき減衰量（予定減衰量（ＡＴＴ）値）を保持する。
具体的には、以下のように算出される。
予定ＡＴＴ値＝無線送信部１２８における予定Ｇａｉｎ値＋送信信号のＴＤＤスイッチ１５０における減衰量＋無線受信部２００における予定Ｇａｉｎ値
ここで、無線送信部１２８における予定Ｇａｉｎ値＝５０ｄＢ，送信信号のＴＤＤスイッチ１５０における減衰量＝−１００ｄＢ，無線受信部２００における予定Ｇａｉｎ値＝５０ｄＢであるとすると、予定ＡＴＴ値＝５０ｄＢ＋（−１００ｄＢ）＋５０ｄＢ＝０ｄＢと算出される。
なお、無線送信部１２８における予定Ｇａｉｎ値は、上述したように、予め決められている。
また、送信信号のＴＤＤスイッチ１５０における減衰量は、上述したように、部品特性に応じて、予め（例えば、−１００ｄＢなどと）求められている。
また、無線受信部２００における予定Ｇａｉｎ値は、予め決められている。
さらに、パラメータ保持部１４０は、上記予定ＡＴＴ値に対する所定の許容値（Ｒｘ許容値）を保持する。
【００３１】
受信利得制御部２０８は、送信利得制御部２２０から校正完了の通知が入力されると、信号の送信区間において、受信レベル調整部２０２のレベル調整量を校正する。
つまり、受信利得制御部２０８は、ＴＤＤスイッチ１５０において減衰され、入力された送信信号を用いて、受信レベル調整部２０２のレベル調整量を校正する。
具体的には、受信利得制御部２０８は、信号の送信区間において、第１電力検出部１２２において検出された電力値と第３電力検出部２０６から入力された電力値と、パラメータ保持部２１０が保持する予定ＡＴＴ値およびＲｘ許容値とを用いて、無線受信部２００における実際のＧａｉｎ値が、予定Ｇａｉｎ値に近づくように、受信レベル調整部２０２のレベル調整量を校正する。
また、受信利得制御部２０８は、校正したレベル調整量を、受信レベル調整部２０２に対して出力する。
以下、受信利得制御部２０８が、受信レベル調整部２０２のレベル調整量の校正を行う処理を、図４を参照して、さらに説明する。
【００３２】
図４は、受信利得制御部２０８が、受信レベル調整部２０２のレベル調整量の校正を行う処理（Ｓ２０）を示すフローチャートである。
図４に示すように、ステップ２００（Ｓ２００）において、受信利得制御部２０８は、ベースバンド信号処理部２４０から送信タイミングを示す信号を受け入れる。
ステップ２０２（Ｓ２０２）において、受信利得制御部２０８は、ベースバンド信号処理部２４０から入力される送信タイミングを示す信号に基づいて、送信区間におけるＴｘ入力値（第１電力検出部１２２の検出値）およびＲｘ出力値（第３電力検出部２０６の検出値）を算出する。
ステップ２０４（Ｓ２０４）において、受信利得制御部２０８は、送信区間において「Ｒｘ出力値−Ｔｘ入力値（実際のＡＴＴ値）」を算出する。
ステップ２０６（Ｓ２０６）において、受信利得制御部２０８は、「Ｒｘ出力値−Ｔｘ入力値（実際のＡＴＴ値）が、予定ＡＴＴ値よりどれだけ低いか（δｒｘ）」を算出する。
例えば、予定ＡＴＴ値が０ｄＢと設定されていた場合に、「Ｒｘ出力値−Ｔｘ入力値（実際のＡＴＴ値）」が、−１０ｄＢであったとすると、δｒｘ＝１０ｄＢと算出される。
【００３３】
ステップ２０８（Ｓ２０８）において、受信利得制御部２０８は、「上記算出したδｒｘ」のレベル調整量を、受信レベル調整部２０２に対して出力し、受信レベル調整部２０２は、入力されたレベル調整値で、レベル調整を行う。
なお、受信利得制御部２０８は、「上記算出したδｒｘ」のレベル調整量を分割して、複数回に分けて受信レベル調整部２０２に対して出力し、受信レベル調整部２０２は、段階的にレベル調整を行ってもよい。
ステップ２１０（Ｓ２１０）において、受信利得制御部２０８は、ベースバンド信号処理部２４０から、送信タイミングを示す信号を受け入れる。
ステップ２１２（Ｓ２１２）において、受信利得制御部２０８は、ベースバンド信号処理部２４０から入力される送信タイミングを示す信号に基づいて、送信区間におけるＴｘ入力値（第１電力検出部１２２の検出値）およびＲｘ出力値（第３電力検出部の２０６）を算出する。
ステップ２１４（Ｓ２１４）において、受信利得制御部２０８は、送信区間において「Ｒｘ出力値−Ｔｘ入力値（実際のＡＴＴ値）」を算出する。
ステップ２１６（Ｓ２１６）において、送信利得制御部１４２は、「Ｒｘ出力値−Ｔｘ入力値（実際のＡＴＴ値）が、予定ＡＴＴ値±Ｒｘ許容値の範囲内」であるか否かを判断する。
「Ｒｘ出力値−Ｔｘ入力値（実際のＡＴＴ値）が、予定ＡＴＴ値±Ｒｘ許容値の範囲内」であるときには、受信利得制御部２０８は、Ｓ２２０の処理に進み、これ以外のときには、Ｓ２１８の処理に進む。
【００３４】
ステップ２１８（Ｓ２１８）において、受信利得制御部２０８は、「Ｒｘ出力値−Ｔｘ入力値（実際のＡＴＴ値）が、予定ＡＴＴ値±Ｒｘ許容値の範囲内」となるように、δｒｘの値を変更する。
具体的には、「Ｒｘ出力値−Ｔｘ入力値」が、「予定ＡＴＴ値±Ｒｘ許容値の範囲内」より３ｄＢ低かった場合には、現在のδｔｘの値に３ｄＢ増加させた値とするが、例えば段階的に増加させてもよい。
ステップ２２０（Ｓ２２０）において、受信利得制御部２０８は、δｒｘの値を保持し、レベル調整量「δｒｘ」の校正を完了する。
ステップ２２２（Ｓ２２２）において、受信利得制御部２０８は、「上記保持したδｒｘ」のレベル調整量を、受信レベル調整部２０２に対して出力する。
また、受信レベル調整部２０２は、入力されたレベル調整値で、その後のレベル調整（信号の増幅）を行う。
【００３５】
つまり、受信利得制御部２０８は、信号の送信区間において、「Ｒｘ出力値−Ｔｘ入力値（実際のＡＴＴ値）」が、「予定ＡＴＴ値±Ｒｘ許容値」の範囲内となるまで、「δｒｘ」を適宜変更して、レベル調整量「δｒｘ」を校正する。
また、受信レベル調整部２０２は、「Ｒｘ出力値−Ｔｘ入力値（実際のＡＴＴ値）」が、「予定ＡＴＴ値±Ｒｘ許容値」の範囲内となった時には、その「δｒｘ」を保持し、レベル調整量の校正を完了する。
つまり、以後、レベル調整量「δｒｘ」は、一定量となる。
【００３６】
［第２の無線通信装置２の全体動作］
ここで、第２の無線通信装置２の全体動作を、説明する。
図５は、第２の無線通信装置２が、送信信号および受信信号のレベル調整を行う動作を示す図であって、（Ａ）は、送信信号のレベル調整を行う動作を示し、（Ｂ）は、受信信号のレベル調整を行う動作を示す。
【００３７】
１．送信および受信動作
第２の無線通信装置２は、図５（Ａ）および（Ｂ）に示した送信区間において、ホストコンピュータ（図示せず）などから入力されたデジタル形式のベースバンド送信信号に対して、変復調器１０および無線機１２において上述した処理を行い、アンテナ１４４を介して送信する。
また、第２の無線通信装置２は、図５（Ａ）および（Ｂ）に示した受信区間において、他の無線装置などから送信された信号を、アンテナ１４４を介して受信し、無線機１２および変復調器１０において上述した処理を行い、ホストコンピュータなどに出力する。
【００３８】
２．送信信号のレベル調整
第２の無線通信装置２は、図５（Ａ）に示すように、送信信号のレベル調整を行う。
（１）送信利得制御部１４２は、送信区間において、Ｔｘ出力値―Ｔｘ入力値（実際のＧａｉｎ値）が、予定Ｇａｉｎ値よりどれだけ低いか（δｔｘ）を算出し、送信レベル調整部１３２に対して出力する（図５（Ａ），１）。
（２）送信レベル調整部１３２は、送信利得制御部１４２から入力されたδｔｘの値で、レベル調整を行う。
また、送信利得制御部１４２は、Ｔｘ出力値―Ｔｘ入力値（実際のＧａｉｎ値）が、予定Ｇａｉｎ値±Ｔｘ許容値」となるまで、δｔｘの値を適宜変更し、送信レベル調整部１３２に対して出力する（図５（Ａ），２）。
（３）送信利得制御部１４２は、Ｔｘ出力値―Ｔｘ入力値（実際のＧａｉｎ値）が、予定Ｇａｉｎ値±Ｔｘ許容値」の範囲内となったら、δｔｘの値を保持し、レベル校正を完了する。
また、送信利得制御部１４２は、校正完了の通知を、受信利得制御部２０８に対して出力する（図５（Ａ），３）。
（４）送信レベル調整部１３２は、送信利得制御部１４２から入力されたδｔｘの値で、レベル調整を継続して行う。
つまり、レベル調整量δｔｘは、その後一定となる（図５（Ａ），４）。
【００３９】
３．受信信号のレベル調整
第２の無線通信装置３は、送信利得制御部１４２から校正完了の通知を受け取ると、図５（Ｂ）に示すように、受信信号のレベル調整を行う。
（１）受信利得制御部２０８は、送信区間において、Ｒｘ出力値−Ｔｘ入力値（実際のＡＴＴ値）が、予定ＡＴＴ値よりどれだけ低いか（δｒｘ）を算出し、受信レベル調整部２０２に対して出力する（図５（Ｂ），５）。
（２）受信レベル調整部２０２は、受信利得制御部２０８から入力されたδｒｘの値で、レベル調整を行う。
また、受信利得制御部２０８は、Ｒｘ出力値−Ｔｘ入力値（実際のＡＴＴ値）が、予定ＡＴＴ値±Ｒｘ許容値」の範囲内となるまで、δｒｘの値を適宜変更し、受信レベル調整部２０２に対して出力する（図５（Ｂ），６）。
（３）受信利得制御部２０８は、Ｒｘ出力値−Ｔｘ入力値（実際のＡＴＴ値）が、予定ＡＴＴ値±Ｒｘ許容値」の範囲内となったら、δｒｘの値を保持し、レベル校正を完了する（図５（Ｂ），７）。
（４）受信レベル調整部２０２は、受信利得制御部２０８から入力されたδｒｘの値で、レベル調整を継続して行う。
つまり、レベル調整量δｒｘは、その後一定となる（図５（Ｂ），８）。
（５）受信レベル調整部２０２は、上記校正したレベル調整量「δｒｘ」で、受信信号のレベル調整を行うことにより、受信信号のレベルが適切な値となる（図５（Ｂ），９）。
【００４０】
以上説明したように、上記説明した本発明に係る第２の無線通信装置２においては、受信レベル調整部２０２は、送信区間において、ＴＤＤスイッチ１５０において減衰され、入力された送信信号を利用して、レベル調整量を校正する。
したがって、受信レベル調整部２０２は、送信区間において校正されたレベル調整量を用いて、受信区間において受信した受信信号のレベルを調整することにより、受信信号のレベルを適切に調整することができる。
【００４１】
［第３の無線通信装置３］
以下、本発明に係る第３の無線通信装置３を説明する。
図６は、本発明に係る第３の無線通信装置３の構成を示す図である。
図６に示すように、第３の無線通信装置３は、第２の無線通信装置２において、無線送信部１２８、送信利得制御部２２０、無線受信部２００および受信利得制御部２０８をそれぞれ、無線送信部３００、送信利得制御部３０４、無線受信部３２０および受信利得制御部３２４に置き換え、デジタル直交変調部１２４とＤ／Ａ変換器１２６との間にＤＳＰ（図示せず）などにより実行される送信レベル調整部３０２を追加し、Ａ／Ｄ変換器１７０とデジタル直交検波部１７２との間にＤＳＰ（図示せず）などにより実行される受信レベル調整部３２２を追加した構成を採る。
無線送信部３００は、無線送信部１２８の構成において、送信レベル調整部１３２を取った構成を採る。
無線受信部３２０は、無線受信部２００の構成において、受信レベル調整部２０２を取った構成を採る。
【００４２】
送信レベル調整部３０２は、デジタル直交変調部１２４から入力されたデジタル形式の送信信号の信号レベルを、送信利得制御部３０４から入力されたレベル調整量で調整し、Ｄ／Ａ変換器１２６に対して出力する。
送信利得制御部３０４は、送信利得制御部２２０と同様の処理を行うが、レベル調整量を、送信レベル調整部１３２に出力するかわりに、送信レベル調整部３０２に対して出力する。
受信レベル調整部３２２は、Ａ／Ｄ変換器１７０から入力されたデジタル形式の送信信号の信号レベルを、受信利得制御部３２４から入力されたレベル調整量で調整し、デジタル直交検波部１７２に対して出力する。
受信利得制御部３２４は、受信利得制御部２０８と同様の処理を行うが、レベル調整量を、受信レベル調整部２０２に出力するかわりに、受信レベル調整部３２２に出力する。
【００４３】
つまり、本発明に係る第３の無線通信装置３は、第２の無線通信装置２において、送信レベル調整部１３２および受信レベル調整部２０２によりアナログ形式の信号においてレベル調整を行っていた構成を、送信レベル調整部３０２および受信レベル調整部３２２により、デジタル形式の信号においてレベル調整を行うように変更されている。
【００４４】
以上説明したように、上記説明した本発明に係る第３の無線通信装置３においても、第２の無線通信装置２と同様に、受信レベル調整部３２２は、送信区間において、ＴＤＤスイッチ１５０において減衰され、入力された送信信号を利用して、レベル調整量を校正する。
したがって、受信レベル調整部３２２は、送信区間において校正されたレベル調整量を用いて、受信区間において受信した受信信号のレベルを調整することにより、受信信号のレベルを適切に調整することができる。
【符号の説明】
【００４５】
１・・第１の無線通信装置、１０・・・変復調器、１００・・・ベースバンド信号処理部、１２・・・無線機、１２０・・送信帯域フィルタ、１２２・・・第１電力検出部、１２４・・・デジタル直交変調部、１２６・・・Ｄ／Ａ変換器、１２８・・・無線送信部、１３０・・・無線周波数変換部、１３２・・・送信レベル調整部、１３４・・・増幅器、１３６・・・フィルタ、１３８・・・第２電力検出部、１４０・・・パラメータ保持部、１４２・・・送信利得制御部、１４４・・・アンテナ、１５０・・・ＴＤＤスイッチ、１６０・・・無線受信部、１６２・・・低雑音増幅器、１６４・・・Ｉ／Ｆ周波数変換部、１６６・・・受信レベル調整部、１６８・・・制御用テーブル部、１７０・・・Ａ／Ｄ変換器、１７２・・・デジタル直交検波部、１７４・・・受信帯域制限フィルタ、２００・・・無線受信部、２０２・・・受信レベル調整部、２０４・・・受信帯域制限フィルタ、２０６・・・第３電力検出部、２０８・・・受信利得制御部、２１０・・・パラメータ保持部、２２０・・・送信利得制御部、２４０・・・ベースバンド信号処理部、３００・・・無線送信部、３０２・・・送信レベル調整部、３０４・・・送信利得制御部、３２０・・・無線受信部、３２２・・・受信レベル調整部、３２４・・・受信利得制御部
【図１】
2010171771.tif 000003
【図２】
2010171771.tif 000004
【図３】
2010171771.tif 000005
【図４】
2010171771.tif 000006
【図５】
2010171771.tif 000007
【図６】
2010171771.tif 000008